(57)【要約】【課題】小児が製品を誤飲することを防止する機能を持つヒンジ式容器を実用的な態様で実現する。【解決手段】ヒンジ式容器１は、開口１０ａを取り囲むフランジ部１３をもつ容器本体２と、開口１０ａを開閉する旋回カバー３０を有し容器本体２に取り付けられた蓋体３と、を備える。旋回カバー３０は、開口１０ａを覆うための天壁３１と、天壁３１の周縁から垂下した周壁３２と、を有する。【選択図】図１
2016153323.tif 000002
【特許請求の範囲】
【請求項１】
開口を取り囲むフランジ部をもつ容器本体と、
前記開口を開閉する旋回カバーを有し前記容器本体に取り付けられた蓋体と、
を備え、
前記旋回カバーは、前記開口を覆うための天壁と、前記天壁の周縁から垂下した周壁と、前記周壁に支持され且つ当該周壁から前記天壁に向かって延び出た係止片と、を有し、
前記係止片の延び出た先端部は、前記天壁から離間し、且つ、前記旋回カバーで前記開口を閉じた状態から当該旋回カバーが開くように旋回することを、前記フランジ部のうちの前記天壁側を向く表面とは反対側となる裏面に当接して規制するようになっている、ヒンジ式容器。
【請求項２】
前記係止片の前記先端部は、前記周壁によって囲まれ且つ前記天壁に対面する内空間内に位置する、請求項１に記載のヒンジ式容器。
【請求項３】
前記係止片の前記先端部は、前記旋回カバーで前記開口を閉じた状態において、前記開口の正面方向となる上下方向からみて、前記周壁に接続された当該係止片の基端部よりも前記開口に近接した位置に位置する、請求項１または２に記載のヒンジ式容器。
【請求項４】
前記旋回カバーは、前記容器本体の前記フランジ部に枢動可能に接続されていて、
前記旋回カバーの前記周壁は、前記フランジ部に枢動可能に接続された前記旋回カバーのカバー基端部と対向するカバー先端部側に位置する前壁を有し、
前記係止片は、前記前壁に接続されている、請求項３に記載のヒンジ式容器。
【請求項５】
前記係止片は、前記基端部から前記先端部に向かうほど、前記カバー基端部と前記カバー先端部とを結ぶ前後方向に沿って前記カバー基端部側に接近していく、請求項４に記載のヒンジ式容器。
【請求項６】
前記天壁及び前記周壁のうちの前記係止片と前記上下方向に対面する領域に、切込みが設けられている、請求項３乃至５のいずれか一項に記載のヒンジ式容器。
【請求項７】
前記フランジ部のうち、前記旋回カバーで前記開口を閉じた状態において前記係止片の前記先端部と前記上下方向に重なる位置から、前記開口と離間する方向にずれた位置に、切欠きが設けられている、請求項３乃至６のいずれか一項に記載のヒンジ式容器。
【請求項８】
前記係止片は、前記周壁と一体に成形され、少なくとも一部が湾曲した板状材である、請求項１乃至７のいずれか一項に記載のヒンジ式容器。
【請求項９】
開口を取り囲むフランジ部をもつ容器本体と、
前記フランジ部に沿って当該フランジ部に取り付けられた取付枠、及び、前記取付枠に枢動可能に接続され前記開口を開閉する旋回カバーを有する蓋体と、
を備え、
前記旋回カバーは、前記開口を覆うための天壁と、前記天壁の周縁から垂下した周壁と、前記周壁に支持され且つ当該周壁から前記天壁に向かって延び出た係止片と、を有し、
前記係止片の延び出た先端部は、前記天壁から離間し、且つ、前記旋回カバーで前記開口を閉じた状態から当該旋回カバーが開くように旋回することを、前記取付枠のうちの前記天壁側を向く表面とは反対側となる裏面に当接して規制するようになっている、ヒンジ式容器。
【発明の詳細な説明】
【技術分野】
【０００１】
本発明は、小児が製品を誤飲することを防止する機能を持つヒンジ式容器に関する。
【背景技術】
【０００２】
例えば、特許文献１乃至３に記載されているように、内容物を収容するための容器として、ヒンジ式容器が利用に供されている。典型的なヒンジ式容器は、内容物を収容する容器本体の開口を、ヒンジ式の蓋で開閉する構造をもつ。このようなヒンジ式容器は、開閉が容易で利便性に優れるため種々の商品を収容する用途に利用されている。ヒンジ式容器に収容される内容物の一例として、食品用の固形物、薬剤あるいは非食用のゲル状投与物が挙げられる。
【先行技術文献】
【特許文献】
【０００３】
【特許文献１】特開２０１２−５１６８１９号公報
【特許文献２】特開２０１３−１１２３６９号公報
【特許文献３】特許第５０８７３５７号
【発明の概要】
【発明が解決しようとする課題】
【０００４】
ヒンジ式容器に収容される内容物によっては、色や匂いによって小児が惹き付けられ商品を誤って口にしてしまうおそれが高い。この点、特許文献１乃至３に記載のヒンジ式容器では、小児の誤飲を防止するための工夫がなされている。しかしながら、特許文献１乃至３に記載のヒンジ式容器では、ヒンジによる開閉の容易さから得られる実用性を維持した上で誤飲防止機能を十分に確保しているとは未だいえない。
【０００５】
本発明は、このような点を鑑みてなされたものであって、小児が製品を誤飲することを防止する機能を持つヒンジ式容器を実用的な態様で実現することを目的とする。
【課題を解決するための手段】
【０００６】
本発明による第１のヒンジ式容器は、開口を取り囲むフランジ部をもつ容器本体と、前記開口を開閉する旋回カバーを有し前記容器本体に取り付けられた蓋体と、を備え、
前記旋回カバーは、前記開口を覆うための天壁と、前記天壁の周縁から垂下した周壁と、前記周壁に支持され且つ当該周壁から前記天壁に向かって延び出た係止片と、を有し、
前記係止片の延び出た先端部は、前記天壁から離間し、且つ、前記旋回カバーで前記開口を閉じた状態から当該旋回カバーが開くように旋回することを、前記フランジ部のうちの前記天壁側を向く表面とは反対側となる裏面に当接して規制するようになっている。
【０００７】
本発明による第１のヒンジ式容器において、前記旋回カバーは、前記容器本体の前記フランジ部に枢動可能に接続されていて、前記旋回カバーの前記周壁は、前記フランジ部に枢動可能に接続された前記旋回カバーのカバー基端部と対向するカバー先端部側に位置する前壁を有し、前記係止片は、前記前壁に接続されていてもよい。
【０００８】
本発明による第２のヒンジ式容器は、開口を取り囲むフランジ部をもつ容器本体と、前記フランジ部に沿って当該フランジ部に取り付けられた取付枠、及び、前記取付枠に枢動可能に接続され前記開口を開閉する旋回カバーを有する蓋体と、を備え、
前記旋回カバーは、前記開口を覆うための天壁と、前記天壁の周縁から垂下した周壁と、前記周壁に支持され且つ当該周壁から前記天壁に向かって延び出た係止片と、を有し、
前記係止片の延び出た先端部は、前記天壁から離間し、且つ、前記旋回カバーで前記開口を閉じた状態から当該旋回カバーが開くように旋回することを、前記取付枠のうちの前記天壁側を向く表面とは反対側となる裏面に当接して規制するようになっている。
【０００９】
本発明による第２のヒンジ式容器において、前記旋回カバーの前記周壁は、前記取付枠に枢動可能に接続された前記旋回カバーのカバー基端部と対向するカバー先端部側に位置する前壁を有し、前記係止片は、前記前壁に接続されていてもよい。
【００１０】
本発明による第１または第２のヒンジ式容器において、前記係止片の前記先端部は、前記周壁によって囲まれ且つ前記天壁に対面する内空間内に位置してもよい。
【００１１】
本発明による第１または第２のヒンジ式容器において、前記係止片の前記先端部は、前記旋回カバーで前記開口を閉じた状態において、前記開口の正面方向となる上下方向からみて、前記周壁に接続された当該係止片の基端部よりも前記開口に近接した位置に位置してもよい。
【００１２】
本発明による第１または第２のヒンジ式容器において、前記係止片は、前記基端部から前記先端部に向かうほど、前記カバー基端部と前記カバー先端部とを結ぶ前後方向に沿って前記カバー基端部側に接近していてもよい。
【００１３】
本発明による第１または第２のヒンジ式容器において、前記天壁及び前記周壁のうちの前記係止片と前記上下方向に対面する領域に、切込みが設けられていてもよい。
【００１４】
本発明による第１のヒンジ式容器において、前記フランジ部のうち、前記旋回カバーで前記開口を閉じた状態において前記係止片の前記先端部と前記上下方向に重なる位置から前記開口から離間する方向にずれた位置に、切欠きが設けられていてもよい。
【００１５】
本発明による第１または第２のヒンジ式容器において、前記係止片は、前記周壁と一体に成形され、少なくとも一部が湾曲した板状材であってもよい。
【発明の効果】
【００１６】
本発明による第１のヒンジ式容器によれば、旋回カバーで開口を閉じた状態で、係止片の先端部がフランジ部の裏面に規制されることで、旋回カバーを容器本体に係止することができる。この係止状態を解除して旋回カバーを開くためには、係止片の先端部をフランジ部の裏面に沿って開口から離間するようにずらす必要がある。しかしながら、旋回カバーを閉じた状態で係止片がフランジ部に部分的に隠れて見つけ難い上に係止片をずらして係止状態を解除するという操作は、小児にとっては容易に想到できるものではない。このため、小児にとっては、旋回カバーを開けて内容物を取り出すことは容易ではない。その一方で、成人にとっては、フランジ部に部分的に隠れた係止片を把握し、フランジ部の裏面に対面する位置から係止片に指を当てて、係止片をずらして係止状態を解除する操作に想到することは困難ではない。このため、成人にとっては、旋回カバーを開けて内容物を容易に取り出すことができる。
【００１７】
本発明による第２のヒンジ式容器によれば、旋回カバーで開口を閉じた状態で、係止片の先端部が取付枠の裏面に規制されることで、旋回カバーを容器本体に係止することができる。この係止状態を解除して旋回カバーを開くためには、係止片の先端部を取付枠の裏面に沿って開口から離間するようにずらす必要がある。しかしながら、旋回カバーを閉じた状態で係止片が取付枠に部分的に隠れて見つけ難い上に係止片をずらして係止状態を解除するという操作は、小児にとっては容易に想到できるものではない。このため、小児にとっては、旋回カバーを開けて内容物を取り出すことは容易ではない。その一方で、成人にとっては、取付枠に部分的に隠れた係止片を把握し、フランジ部の裏面に対面する位置から係止片に指を当てて、係止片をずらして係止状態を解除する操作に想到することは困難ではない。このため、成人にとっては、旋回カバーを開けて内容物を容易に取り出すことができる。
【００１８】
以上のことから、本発明によれば、小児が製品を誤飲することを防止するヒンジ式容器を実用的な態様で提供することが可能となる。
【図面の簡単な説明】
【００１９】
【図１】第１の実施の形態によるヒンジ式容器を示す斜視図。
【図２】図１に示すヒンジ式容器の縦断面図。
【図３】図１に示すヒンジ式容器の要部を拡大して示す斜視図。
【図４】図３に示す線ＩＶ−ＩＶに沿ったヒンジ式容器の断面を示す断面図。
【図５】図４に示す断面において、旋回カバーで開口を閉じる一過程を示す断面図。
【図６】図４に示す断面において、係止片に指を当てて旋回カバーの容器本体への係止を解除する操作を示す断面図。
【図７】第２の実施の形態によるヒンジ式容器を示す斜視図。
【図８】図７に示す線VIII−VIIIに沿ったヒンジ式容器の断面を示す断面図。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
≪第１の実施の形態≫
図１乃至図６は、第１の実施の形態を説明するための図である。このうち図１は、ヒンジ式容器１を開いた状態で示す斜視図であり、図２は、図１に示すヒンジ式容器１の縦断面図である。
【００２２】
図１及び図２に示すヒンジ式容器１は、内容物を収容する容器本体２と、容器本体２に取り付けられたヒンジ式の蓋体３と、を有する。図１及び図２に示すヒンジ式容器１は、開閉が容易で利便性に優れ、種々の商品を収容することが意図されている。ヒンジ式容器に収容される内容物の一例として、食品用の固形物、薬剤あるいは非食用のゲル状投与物等が挙げられる。
【００２３】
図１に示すように、容器本体２は、底部１１と、底部１１に接続された胴部１２と、を有している。底部１１は、ヒンジ式容器１を載置面に置いたときにヒンジ式容器１の載置面に接触する部分を構成する。胴部１２は、底部１１の周縁に接続され底部１１の上方を環状に取り囲んでいる。底部１１と胴部１２とによって規定される空間内に、内容物を収容する収容空間Ｓ１が規定されている。
【００２４】
胴部１２の底部１１と接続された端部とは反対側となる端部に、胴部１２から張り出したフランジ部１３が接続されている。フランジ部１３は、蓋体３が取り付けられる部分である。また、フランジ部１３は、後述するようにして蓋体３と協働し、旋回カバー３０を容器本体２に係止するために利用される。本実施の形態において、フランジ部１３は環状に形成され、当該フランジ部１３に囲まれる領域内に開口１０ａが規定されている。開口１０ａを介して容器本体２内の収容空間Ｓ１から内容物が出し入れされるようになっている。
【００２５】
本実施の形態のフランジ部１３は、蓋体３側を向く表面１３ａと、表面１３ａの反対側を向く裏面１３ｂと、を含んでいる。図１及び図２に示す例では、フランジ部１３の表面１３ａは、開口１０ａの正面方向となる上下方向ｄ３における上方を向き、裏面１３ｂは、上下方向ｄ３における下方を向いている。
【００２６】
なお、開口１０ａの正面方向とは、開口１０ａを全体的且つ大局的に見た場合において、当該開口１０ａの平面方向と一致する面への法線方向を指す。本実施の形態において、開口１０ａの正面方向は、図１中の紙面の上下方向に一致する。また、本明細書において、開口１０ａの正面方向となる上下方向ｄ３に直交する平面内において、互いに直交する２方向を前後方向ｄ１及び横方向ｄ２と呼ぶ。
【００２７】
また、図１に示すように、フランジ部１３は、前胴壁１２ａから前方に張り出した前フランジ１４ａと、背胴壁１２ｂから後方に張り出した後フランジ（不図示）と、各々に対応する側胴壁１２ｃ、１２ｄから横方向に張り出した側フランジ１４ｃ、１４ｄと、を含んでいる。この場合、前フランジ１４ａ及び後フランジ１４ｂは、図１中の前後方向ｄ１に対向し、一対の側フランジ１４ｃ、１４ｄは、図１中の横方向ｄ２に対向する。
【００２８】
一方、容器本体２をフランジ部１３及び底部１１と共に構成する胴部１２は、図１中の前後方向ｄ１に対向する前胴壁１２ａ及び背胴壁１２ｂと、図１中の横方向ｄ２に対向する一対の側胴壁１２ｃ、１２ｄと、を含んでいる。各側胴壁１２ｃ、１２ｄは、前胴壁１２ａ及び背胴壁１２ｂの対応する端部の間を延びている。
【００２９】
次に、容器本体２に取り付けられる蓋体３について説明する。図１に示すように、蓋体３は、容器本体２のフランジ部１３に枢動可能に接続され、容器本体２の開口１０ａを開閉する旋回カバー３０と、を有している。
【００３０】
なお、本明細書において、旋回カバー３０のうち、容器本体２のフランジ部１３に枢動可能に接続された端部をカバー基端部３０ｂと呼び、カバー基端部３０ｂに対向する端部つまりカバー基端部３０ｂとは反対となる端部をカバー先端部３０ａと呼ぶ。さらに、旋回カバー３０のカバー基端部３０ｂとカバー先端部３０ａとを結ぶ方向を前後方向ｄ１とし、カバー基端部３０ｂ側を後方と呼び、カバー先端部３０ａ側を前方と呼ぶ。
【００３１】
旋回カバー３０は、容器本体２の開口１０ａを開閉し、内容物の出し入れを可能にする。図１及び図２に示す旋回カバー３０は、開口１０ａを覆うための天壁３１と、天壁３１の周縁から延び出した周壁３２と、天壁３１から後方に延び出しフランジ部１３に枢動可能に接続された取付片３３と、を有している。
【００３２】
図２に示すように、取付片３３は、フランジ部１３に沿った板状材として構成されている。本実施の形態の取付片３３は、後フランジ１４ｂにヒンジ軸２１を介して取り付けられている。ただし、取付片３３がフランジ部１３に枢動可能に接続される態様は特に限定されない。例えば、取付片３３が、薄肉化された複数のヒンジ片（不図示）を介してフランジ部１３に接続されていてもよい。薄肉化されたヒンジ片が取付片３３とフランジ部１３との間で変形することにより、旋回カバー３０がフランジ部１３に対して枢動（旋回、揺動）することが可能となる。
【００３３】
本実施の形態における天壁３１は、矩形の輪郭をもつ板状の部分である。なお、ここでいう「矩形」には、角が尖った長方形だけでなく、角が丸みを帯びた概ね長方形形状の形状も含まれる。もっとも、天壁３１の形状は、図示する例に限定されない。天壁３１の他の形状として、多角形状の輪郭をもっていてもよいし、円形や楕円形であってもよい。
【００３４】
図１に示すように、周壁３２は、天壁３１から容器本体２側に向かって延び出し、環状に形成されている。環状の周壁３２によって囲まれ且つ天壁３１に対面する空間に、内空間Ｓ２（図４も参照）が規定されている。旋回カバー３０で開口１０ａを閉じると、周壁３２が容器本体２のフランジ部１３の周りを取り囲み、内空間Ｓ２が容器本体２内の収容空間Ｓ１に連通するようになっている。
【００３５】
図１に示すように、周壁３２は、前後方向ｄ１における前方に位置する前壁３２ａと、横方向ｄ２に対向する一対の側壁３２ｃ、３２ｄと、を含んでいる。前壁３２ａは、一対の側壁３２ｃ、３２ｄの前方側の端部の間を延びている。図１から理解されるように、旋回カバー３０で開口１０ａを閉じた状態において、旋回カバー３０の前壁３２ａは胴部１２の前胴壁１２ａに対向する位置に位置し、旋回カバー３０の側壁３２ｃ、３２ｄは対応する胴部１２の側胴壁１２ｃ、１２ｄに対向する位置に位置する。
【００３６】
また、本実施の形態において、後壁３２ｂの一部が取付ベース２０に枢動可能に接続されている。すなわち、後壁３２ｂの一部が上述の旋回カバー３０のカバー基端部３０ｂを規定している。これに対して、旋回カバー３０のカバー先端部３０ａは、後壁３２ｂに対向する前壁３２ａによって規定されている。
【００３７】
また、周壁３２の前壁３２ａの一部が他の部分よりも膨らんで摘まみ部分３５を規定している。他の部分よりも膨らんだ摘まみ部分３５を指で摘まむことで、負担のない楽な姿勢でカバー材３０を枠材２０に対して旋回させることができる。
【００３８】
さて、このようなヒンジ式容器１は、開閉の容易さから実用性に優れる一方で、小児が内容物を容易に取り出して誤って口にしてしまうおそれを内在する。そこで、本実施の形態によるヒンジ式容器１では、小児の誤飲を防止するべく、旋回カバー３０を容器本体２にロックするための係止片３４が周壁３２から延び出している。
【００３９】
係止片３４は、フランジ部１３と協働して、旋回カバー３０を容器本体２に係止するためのものである。図３及び図４に、それぞれ、係止片３４を斜視図及び断面図として示す。図３及び図４に示す係止片３４は、周壁３２と一体に成形され、少なくとも一部が湾曲した板状材として構成されている。図３及び図４に示す板状の係止片３４は、周壁３２の前壁３２ａにその基端部３４ａが接続され、基端部３４ａとは反対側に位置する先端部３４ｂは自由端になっている。すなわち、係止片３４は、周壁３２に片持ち構造にて支持されていて、その先端部３４ｂは、撓みによって変位自在となっている。
【００４０】
とりわけ、係止片３４の基端部３４ａは、前壁３２ａのうちの上下方向ｄ３において中間となる位置で接続され、前壁３２ａのうちの基端部３４ａが接続された位置よりも下方となる位置に、摘まみ部分３５が接続されている。
【００４１】
一方、係止片３４の先端部３４ｂは、図３から理解されるように、環状の周壁３２によって囲まれる内空間Ｓ２内で、天壁３１から離間して位置している。本実施の形態において、係止片３４の先端部３４ｂは、基端部３４ａよりも旋回カバー３０のカバー基端部３０ｂに近接した位置に位置している（図１参照）。この場合、図４に示す旋回カバー３０で開口１０ａを閉じた状態で上下方向ｄ３からみたときに、係止片３４の先端部３４ｂは、基端部３４ａよりも開口１０ａに近接した位置に位置する。
【００４２】
また、図４に示すように、旋回カバー３０で開口１０ａを閉じると、係止片３４の先端部３４ｂと天壁３１との間にフランジ部１３が配置される。そして、係止片３４の先端部３４ｂが、フランジ部１３の裏面１３ｂの近傍で当該裏面１３ｂと向き合い、天壁３１が、フランジ部１３の表面１３ａと向き合う。この場合、図４に示す状態から旋回カバー３０が開くように旋回する場合、係止片３４の先端部３４ｂがフランジ部１３の裏面１３ｂに当接して当該旋回動作を規制することになる。
【００４３】
本実施の形態において、係止片３４は、基端部３４ａから先端部３４ｂに向かうほど、前後方向ｄ１に沿ってカバー基端部３０ｂ側に接近していく。すなわち、係止片３４のうちの基端部３４ａと先端部３４ｂとの間となる中間部３４ｃは、基端部３４ａから先端部３４ｂに向かうほど、前後方向ｄ１に沿ってカバー基端部３０ｂ側に接近するように湾曲している。このような中間部３４ｃの形状は、旋回カバー３０の円滑な旋回動作を維持しつつ、旋回カバー３０のフランジ部１３への係止を安定して行うことに寄与する。
【００４４】
このような係止片３４が設けられた旋回カバー３０は、種々の態様で成形することが可能である。一例として、旋回カバー３０を係止片３４を含めてインジェクション成形によって一体に成形してもよい。
【００４５】
ただし、係止片３４を旋回カバー３０と一体として成形するためには、係止片３４を成形するための型を出し入れするための空間を必要とする。そこで、本実施の形態では、旋回カバー３０のうちの係止片３４の周りに、切込み３６が設けられている。図３及び図４に示す例では、切込み３６は、天壁３１及び周壁３２のうちの係止片３４と上下方向ｄ３に対面する領域に設けられている。
【００４６】
さて、図３に戻って、フランジ部１３に切欠き１５が設けられている。本実施の形態の切欠き１５は、前フランジ１４ａの前端から後方に向かって切り欠かれている。とりわけ、図４から理解されるように、切欠き１５が形成された位置は、フランジ部１３のうち、旋回カバー３０で開口１０ａを閉じた状態において係止片３４の先端部３４ｂと上下方向ｄ３に重なる位置ｄｐから、開口１０ａと離間する方向、つまり前方にずれている。
【００４７】
切欠き１５によれば、旋回カバー３０を開閉する際に、係止片３４とフランジ部１３の前フランジ１４ａとが干渉して旋回カバー３０の円滑な旋回動作を阻害することを抑制することができる。
【００４８】
次に、以上のような構成からなるヒンジ式容器１の使用方法について図５及び図６も参照して説明する。図５は、旋回カバー３０で開口１０ａを閉じる動作の過程を示す断面図であり、図６は、旋回カバー３０の容器本体２への係止を解除する操作を示す断面図である。
【００４９】
先ず、図１に示す旋回カバー３０を開いた状態から、開口１０ａを閉じるように旋回カバー３０をフランジ部１３に対して旋回させる。図５に示すように、旋回カバー３０がフランジ部１３に接近すると、係止片３４が前フランジ１４ａに当接し内空間Ｓ２外に向かって押し曲げられる。このとき、前フランジ１４ａには切欠き１５が設けられているため、係止片３４は、前フランジ１４ａと強く干渉することなく旋回カバー３０の円滑な旋回動作が維持される。
【００５０】
旋回カバー３０をさらに旋回させると、係止片３４の先端部３４ｂがフランジ部１３の裏面１３ｂに回り込むと共に、旋回カバー３０で開口１０ａが閉じられる。図４に示すように、旋回カバー３０で開口１０ａが閉じられると、係止片３４の先端部３４ｂと天壁３１との間にフランジ部１３が配置され、係止片３４の先端部３４ｂが、フランジ部１３の裏面１３ｂの近傍で当該裏面１３ｂと向き合う。これにより、図４に示す状態から旋回カバー３０が開くように旋回する場合、係止片３４の先端部３４ｂがフランジ部１３の裏面１３ｂに当接して当該旋回動作を規制することができる。すなわち、旋回カバー３０で開口１０ａが閉じられると、係止片３４の先端部３４ｂがフランジ部１３の裏面１３ｂに規制されることによって、旋回カバー３０を容器本体２に自動でロック（係止）することが可能となる。
【００５１】
旋回カバー３０を開く際には、図６に示すように、係止片３４と胴部１２との間に指を下方から挿入し、係止片３４の中間部３４ｃを開口１０ａから離間する方向つまり前方に押し出す。本実施の形態では、係止片３４は、先端部３４ｂが上下方向ｄ３からみて基端部３４ａよりも開口１０ａに近接して位置するように形状が付されているため、係止片３４を前方に押し出し易い。この押し出し操作によって、係止片３４が上下方向ｄ３に延びるように変形させられると共に、係止片３４の先端部３４ｂがフランジ部１３の裏面１３ｂに沿って前方に摺動していく。係止片３４の先端部３４ｂがフランジ部１３の前端を超えると、旋回カバー３０の容器本体２へのロックが解除され、旋回カバー３０を開くことが可能となる。
【００５２】
なお、図４に示す状態において、係止片３４が旋回カバー３０が開くように旋回する動作を規制する一方で、図６に示す操作によって、係止片３４の旋回カバー３０のロックを解除することができるのは、作用する力の向きの相違が大きく寄与する。つまり、図４に示す状態から旋回カバー３０が旋回する方向は、概ね上下方向ｄ３に沿うため、このような旋回カバー３０の動きに対しては、係止片３４がフランジ部１３に対して突っ張ってしまい、旋回カバー３０を開くことができない。その一方で、図６に示す状態から係止片３４を前後方向ｄ１に押し出す場合、係止片３４の先端部３４ｂがフランジ部１３に対して突っ張らずに当該フランジ部１３の裏面１３ｂに沿って前方にずらされていく。係止片３４の先端部３４ｂがフランジ部１３の前端を超えると、旋回カバー３０の容器本体２へのロックが解除され、旋回カバー３０を開くことが可能となる。
【００５３】
以上のように、本実施の形態によれば、開口１０ａを取り囲むフランジ部１３をもつ容器本体２と、開口１０ａを開閉する旋回カバー３０を有し容器本体２に取り付けられた蓋体３と、を備え、旋回カバー３０は、開口１０ａを覆うための天壁３１と、天壁３１の周縁から垂下した周壁３２と、を有し、周壁３２は、天壁３１から垂下した周壁３２と、周壁３２に支持され且つ当該周壁３２から天壁３１に向かって延び出た係止片３４と、を有し、係止片３４の延び出た先端部３４ｂは、天壁３１から離間し、且つ、旋回カバー３０で開口１０ａを閉じた状態から当該旋回カバー３０が開くように旋回することを、フランジ部１３のうちの天壁３１と向き合う表面１３ａとは反対側となる裏面１３ｂに当接して規制するようになっている。
【００５４】
このような形態によれば、旋回カバー３０で開口１０ａを閉じた状態で、係止片３４の先端部３４ｂがフランジ部１３の裏面１３ｂに規制されることで、旋回カバー３０を容器本体２に係止することができる。この係止状態を解除して旋回カバー３０を開くためには、係止片３４の先端部３４ｂをフランジ部１３の裏面１３ｂに沿って開口１０ａから離間するようにずらす必要がある。しかしながら、旋回カバー３０を閉じた状態で係止片３４がフランジ部１３に部分的に隠れて見つけ難い上に係止片３４をずらして係止状態を解除するという操作は、小児にとっては容易に想到できるものではない。このため、小児にとっては、旋回カバー３０を開けて内容物を取り出すことは容易ではない。その一方で、成人にとっては、フランジ部１３に部分的に隠れた係止片３４を把握し、フランジ部１３の裏面１３ｂに対面する位置から係止片３４に指を当てて、係止片３４をずらして係止状態を解除する操作に想到することは困難ではない。このため、成人にとっては、旋回カバー３０を開けて内容物を容易に取り出すことができる。以上のことから、本実施の形態によれば、小児が製品を誤飲することを防止するヒンジ式容器１を実用的な態様で提供することが可能となる。
【００５５】
また、本実施の形態によれば、係止片３４の先端部３４ｂは、旋回カバー３０で開口１０ａを閉じた状態において、開口１０ａの正面方向となる上下方向ｄ３からみて、周壁３２に接続された当該係止片３４の基端部３４ａよりも開口１０ａに近接した位置に位置する。このような形状によれば、係止片３４を開口１０ａから離間する方向に押し出し易くなり、この結果、係止片３４を開口１０ａから離間するように楽な姿勢でずらすことができる。このような傾向をより強化する観点から、係止片３４は、基端部３４ａから先端部３４ｂに向かうほど、カバー基端部３０ｂとカバー先端部３０ａとを結ぶ前後方向ｄ１に沿ってカバー基端部３０ｂ側に接近していく、ことが好ましい。
【００５６】
また、本実施の形態によれば、旋回カバー３０は、容器本体２のフランジ部１３に枢動可能に接続されていて、旋回カバー３０の周壁３２は、フランジ部１３に枢動可能に接続された旋回カバー３０のカバー基端部３０ｂと対向するカバー先端部３０ａ側に位置する前壁３２ａを有し、係止片３４は、前壁３２ａに接続されている。旋回カバー３０のカバー先端部３０ａはカバー基端部３０ｂよりも旋回動作時の動く範囲が大きいため、係止片３４がカバー先端部３０ａ側に位置する前壁３２ａに設けられている場合、係止片３４を用いて旋回カバー３０を容器本体２に安定して係止することに寄与する。
【００５７】
また、本実施の形態によれば、天壁３１及び周壁３２のうちの係止片３４と上下方向ｄ３に対面する領域に、切込み３６が設けられている。この場合、係止片３４の成形性を向上させるだけでなく、蓋体３の外側から切込み３６を介して係止片３４を視認し易くなるため、係止片３４の係止状態を解除する操作を目視で確認しながら行い易くなる。
【００５８】
また、本実施の形態によれば、フランジ部１３のうち、旋回カバー３０で開口１０ａを閉じた状態において係止片３４の先端部３４ｂと上下方向ｄ３に重なる位置ｄｐから、開口１０ａと離間する方向にずれた位置に、切欠き１５が設けられている。このような形態によれば、旋回カバー３０を開閉する際に、係止片３４とフランジ部１３とが干渉して旋回カバー３０の円滑な旋回動作を阻害することを抑制することができる。
【００５９】
また、本実施の形態によれば、係止片３４は、周壁３２と一体に成形され、少なくとも一部が湾曲した板状材である。この場合、旋回カバー３０の円滑な旋回動作を確保しつつ、旋回カバー３０をフランジ部１３に安定して係止する係止片３４を、複雑な構成を回避して実現することができる。
【００６０】
≪第２の実施の形態≫
次に、図７及び図８を参照して、第２の実施の形態について説明する。図７は、第２の実施の形態におけるヒンジ式容器１を示す斜視図であり、図８は、図７に示すヒンジ式容器１の要部の断面図である。図７及び図８を参照して説明する第２の実施の形態は、係止片３４が取付枠２０に係合する点で異なるが、その他の構成は、第１の実施形態と同様に構成することができる。第２の実施の形態に関する以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。
【００６１】
図７及び図８に示すヒンジ式容器１は、開口１０ａを取り囲むフランジ部１３をもつ容器本体２と、開口１０ａを開閉する旋回カバー３０を有し容器本体２に取り付けられた蓋体３と、を有している。
【００６２】
図７に示すように、蓋体３は、フランジ部１３に沿って当該フランジ部１３に取り付けられた取付枠２０をさらに有し、取付枠２０は、旋回カバー３０を枢動可能に支持している。取付枠２０は、取付ベースとも呼ばれ、環状に形成された一定の幅を持つ枠として構成されている。
【００６３】
本実施の形態において、取付枠２０は、旋回カバー３０の天壁３１側を向く表面２０ａと、表面２０ａと反対側を向く裏面１３ｂと、を含んでいる。図７に示す例では、取付枠２０の表面２０ａは、開口１０ａの正面方向となる上下方向ｄ３における上方を向き、裏面２０ｂは、上下方向ｄ３における下方を向いている。
【００６４】
また、取付枠２０は、当該取付枠２０の輪郭に沿って間隔を空けて配置された複数の取付爪２６を有している。取付爪２６は、容器本体２のフランジ部１３の裏面１３ｂ側に回り込んで引っかけられ、これにより、蓋体３を容器本体２に取り付けるようになっている。ただし、蓋体３を容器本体２に取り付ける構成は、このような例に限定されず、それ自体既知の種々の構成を採用することが可能である。
【００６５】
取付枠２０には、旋回カバー３０が枢動可能に接続されている。旋回カバー３０の周壁３２の前壁３２ａから天壁３１に向かって係止片３４が延び出している。旋回カバー３０や係止片３４の構成は、上述した第１の実施の形態と略同様なため、ここでは詳細な説明を省略する。
【００６６】
図１２に示すヒンジ式容器１によれば、開口１０ａを取り囲むフランジ部１３をもつ容器本体２と、フランジ部１３に沿って当該フランジ部１３に取り付けられた取付枠２０、及び、取付枠２０に枢動可能に接続され開口１０ａを開閉する旋回カバー３０を有する蓋体３と、を備え、旋回カバー３０は、開口１０ａを覆うための天壁３１と、天壁３１の周縁から垂下した周壁３２と、を有し、周壁３２は、天壁３１から垂下した周壁３２と、周壁３２に支持され且つ当該周壁３２から天壁３１に向かって延び出た係止片３４と、を有し、係止片３４の延び出た先端部３４ｂは、天壁３１から離間し、且つ、旋回カバー３０で開口１０ａを閉じた状態から当該旋回カバー３０が開くように旋回することを、取付枠２０のうちの天壁３１側を向く表面２０ａとは反対側となる裏面２０ｂに当接して規制するようになっている。
【００６７】
このような形態によれば、旋回カバー３０で開口１０ａを閉じた状態で、係止片３４の先端部３４ｂが取付枠２０の裏面２０ｂに規制されることで、旋回カバー３０を取付枠２０に係止することができる。この係止状態を解除して旋回カバー３０を開くためには、係止片３４の先端部３４ｂを取付枠２０の裏面２０ｂに沿って開口１０ａから離間するようにずらす必要がある。しかしながら、旋回カバー３０を閉じた状態で係止片３４が取付枠２０に部分的に隠れて見つけ難い上に係止片３４をずらして係止状態を解除するという操作は、小児にとっては容易に想到できるものではない。このため、小児にとっては、旋回カバー３０を開けて内容物を取り出すことは容易ではない。その一方で、成人にとっては、取付枠２０に部分的に隠れた係止片３４を把握し、フランジ部１３の裏面１３ｂに対面する位置から係止片３４に指を当てて、係止片３４をずらして係止状態を解除する操作に想到することは困難ではない。このため、成人にとっては、旋回カバー３０を開けて内容物を容易に取り出すことができる。以上のことから、本実施の形態によれば、小児が製品を誤飲することを防止するヒンジ式容器１を実用的な態様で提供することが可能となる。
【００６８】
また、本実施の形態によれば、旋回カバー３０の周壁３２は、取付枠２０に枢動可能に接続された旋回カバー３０のカバー基端部３０ｂと対向するカバー先端部３０ａ側に位置する前壁３２ａを有し、係止片３４は、前壁３２ａに接続されている。旋回カバー３０のカバー先端部３０ａはカバー基端部３０ｂよりも旋回動作時の動く範囲が大きいため、係止片３４がカバー先端部３０ａ側に位置する前壁３２ａに設けられている場合、係止片３４を用いて旋回カバー３０を容器本体２に安定して係止することに寄与する。
【符号の説明】
【００６９】
１      ヒンジ式容器
２      容器本体
３      蓋体
１０ａ  開口
１３    フランジ部
１３ａ  表面
１３ｂ  裏面
１５    切欠き
２０    取付枠
２０ａ  表面
２０ｂ  裏面
３０    旋回カバー
３０ａ  カバー基端部
３０ｂ  カバー先端部
３１    天壁
３２    周壁
３２ａ  前壁
３４    係止片
３４ａ  基端部
３４ｂ  先端部
３４ｃ  中間部
３６  切込み
Ｓ２  内空間
ｄｐ  重なる位置
ｄ１  前後方向
ｄ２  横方向
ｄ３  上下方向
【図１】
2016153323.tif 000003
【図２】
2016153323.tif 000004
【図３】
2016153323.tif 000005
【図４】
2016153323.tif 000006
【図５】
2016153323.tif 000007
【図６】
2016153323.tif 000008
【図７】
2016153323.tif 000009
【図８】
2016153323.tif 000010